(57)【特許請求の範囲】
【請求項１】
顔面の少なくとも一部分を覆う吸排気可能な面体と、前記面体を前記顔面に密着させることができるように前記面体から頭部の後方に向かって延びる複数本のヘッドバンドとを有するマスクであって、
複数本の前記ヘッドバンドは、前記面体から前記頭部の後方に向かって延びて、前記頭部に該頭部の後方から当接可能に形成された貯水袋に取り付けられ、かつ、長さ調節可能に形成されているものを含むことを特徴とする前記マスク。
【請求項２】
前記面体が前記マスクの着用者の口に向かって給水可能な飲料水供給部を有し、前記貯水袋には開閉可能な注水口と給水口とが形成されており、前記供給部と前記給水口とが給水管を介して前記マスク着用者の口に向かって給水可能に連結されている請求項１記載のマスク。
【請求項３】
前記給水口は、前記給水管の端部の取り付けと取り外しとが可能に形成されるとともに、その取り付けと取り外しとによって開閉する弁を備えている請求項２記載のマスク。
【請求項４】
前記貯水袋は、その外面の少なくとも一部分が非伸縮性シート材料で形成されており、複数本の前記ヘッドバンドそれぞれの基端部が前記非伸縮性シート材料に固定される一方、前記基端部の反対端部が前記面体に着脱可能な状態にある請求項１〜３のいずれかに記載のマスク。
【請求項５】
前記貯水袋は、前記マスク着用者の後頭部を覆うことができるものであって、前記後頭部の上下方向において前記マスク着用者の頸部寄りに位置して前記頸部の周り方向へ延びる下縁部を有し、前記下縁部は、前記後頭部の下方に向かって開放可能に形成された前記給水口を有するとともに、前記給水口の両側部分が前記給水口に向かって下り勾配となるように傾斜している請求項２〜４のいずれかに記載のマスク。
【請求項６】
前記面体の内部と前記貯水袋の内部とをつなぐ給気管を有し、前記給気管は前記面体から前記貯水袋に向かう方向にのみ開く逆止弁を備え、前記貯水袋が陰圧になると前記逆止弁が開いて前記面体の内部の空気が前記貯水袋に向かって流れる請求項１〜５のいずれかに記載のマスク。
【請求項７】
前記貯水袋には、外気取り入れ口を設けてある請求項１〜６のいずれかに記載のマスク。
【請求項８】
前記外気取り入れ口にはフィルタが取り付けてある請求項７記載のマスク。
【発明の詳細な説明】
【技術分野】
【０００１】
この発明は、防塵用や防毒用のものとして使用されるマスクに関する。
【背景技術】
【０００２】
従来、吸排気可能な面体とこの面体を着用するためのヘッドバンドとを有するマスクは周知である。また、このマスク着用者に対して飲料水を供給することができるマスクと水筒とが特開平１１−２０６８９８号公報（特許文献１）に開示されている。
【特許文献１】特開平１１−２０６８９８号公報
【発明の開示】
【発明が解決しようとする課題】
【０００３】
特許文献１に記載のマスクでは、送水用チューブの一端部が面体の吸水部につながれる一方、その一端部の反対端部が面体とは別体の水筒につながれている。マスク着用者の水を吸い込む動作によって水筒内の水が送水用チューブと吸水部とを経て、マスク着用者の口に供給される。マスク着用者は、その水筒を片手に持ったり、背中や腰など身体の適宜の部位に固定したりすることができる。しかし、このマスクでは、水筒を腰に固定した場合、着用者が水を飲もうとするときに、腰に固定した水筒から口にまで水を吸い上げなければならず、その吸い上げる距離と高さとが大きくなるほど着用者の呼吸動作における負荷が大きくなる。片手に水筒を持っているときには、その水筒を口許より高くすれば楽に水を飲むことができるが、片手を自由に使うことができないということがある。また、このマスクを着用するときには、面体をそれに付属するヘッドバンドを使用して顔面に固定する作業と、水筒を背中や腰などに固定する作業とが必要であり、マスク着用のための作業が繁雑であるということがある。
【０００４】
この発明が課題とするところは、従来技術の有するこのような問題を解消できるマスクの提供である。
【課題を解決するための手段】
【０００５】
前記課題を解決するために、この発明が対象とするのは、顔面の少なくとも一部分を覆う吸排気可能な面体と、前記面体を前記顔面に密着させることができるように前記面体から頭部の後方に向かって延びる複数本のヘッドバンドとを有するマスクである。
【０００６】
かかるマスクにおいて、この発明が特徴とするところは、複数本の前記ヘッドバンドは、前記面体から前記頭部の後方に向かって延びて、前記頭部に該頭部の後方から当接可能に形成された貯水袋に取り付けられ、かつ、長さ調節可能に形成されているものを含むこと、にある。
【０００７】
この発明の好ましい実施態様の一つにおいて、前記面体が前記マスクの着用者の口に向かって給水可能な飲料水供給部を有し、前記貯水袋には開閉可能な注水口と給水口とが形成されており、前記供給部と前記給水口とが給水管を介して前記マスク着用者の口に向かって給水可能に連結されている。
【０００８】
この発明の好ましい実施態様の他の一つにおいて、前記給水口は、前記給水管の端部の取り付けと取り外しとが可能に形成されるとともに、その取り付けと取り外しとによって開閉する弁を備えている。
【０００９】
この発明の好ましい実施態様の他の一つにおいて、前記貯水袋は、その外面の少なくとも一部分が非伸縮性シート材料で形成されており、複数本の前記ヘッドバンドそれぞれの基端部が前記非伸縮性シート材料に固定される一方、前記基端部の反対端部が前記面体に着脱可能な状態にある。
【００１０】
この発明の好ましい実施態様の他の一つにおいて、前記貯水袋は、前記マスク着用者の後頭部を覆うことができるものであって、前記後頭部の上下方向において前記マスク着用者の頸部寄りに位置して前記頸部の周り方向へ延びる下縁部を有し、前記下縁部は、前記後頭部の下方に向かって開放可能に形成された前記給水口を有するとともに、前記給水口の両側部分が前記給水口に向かって下り勾配となるように傾斜している。
この発明の好ましい実施態様の他の一つにおいて、前記面体の内部と前記貯水袋の内部とをつなぐ給気管を有し、前記給気管は前記面体から前記貯水袋に向かう方向にのみ開く逆止弁を備え、前記貯水袋が陰圧になると前記逆止弁が開いて前記面体の内部の空気が前記貯水袋に向かって流れる。
この発明の好ましい実施態様の他の一つにおいて、前記貯水袋には、外気取り入れ口を設けてある。
この発明の好ましい実施態様の他の一つにおいて、前記外気取り入れ口にはフィルタが取り付けてある。
【発明の効果】
【００１１】
この発明に係るマスクは、面体と貯水袋とをそれらに共通のヘッドバンドを使用して着用するから、着用のための操作が簡単になる。
【００１２】
貯水袋が着用者の頭部にあって、貯水袋の給水口と面体の飲料水供給部とが連結されているこの発明の実施態様では、貯水袋内部の水が頭部から口に向かって自然に流れるので、水を飲む動作によって着用者の呼吸に対する負荷が増すということがない。
【００１３】
貯水袋の給水口が給水管の取り付けと取り外しによって開閉する弁を備えているこの発明の実施態様では、面体と貯水袋とを着用してからこれら両者に対して給水管をつなげばよいから、マスクが着用し易いものになる。
【００１４】
貯水袋の少なくとも一部分が非伸縮性シート材料で形成されており、ヘッドバンドそれぞれの基端部分がこの非伸縮性シート材料に取り付けられているこの発明の実施態様では、ヘッドバンドを緊張状態にすれば、貯水袋内部の水量に関係なく面体を顔面に密着させるとともに、貯水袋を頭部に密着させることが可能になる。
【００１５】
貯水袋の下縁部が給水口を有し、その給水口の両側部分が給水口に向かって下り勾配になるように傾斜しているこの発明の実施態様では、着用した貯水袋内部の水を残すことなく利用することができる。
【発明を実施するための最良の形態】
【００１６】
添付の図面を参照して、この発明に係るマスクの詳細を説明すると、以下のとおりである。
【００１７】
図１，２は、この発明に係るマスク１が着用状態にあるときの斜視図と側面図であって、図１では、着用者の顔面２と頭部３とが実線で示されており、図２では、これらが仮想線で示されている。マスク１は、フルフェイス型の面体１１と、貯水袋１２と、面体１１と貯水袋１２とをつなぐ複数本のヘッドバンド１３とを有する。
【００１８】
面体１１は、本体１４と、本体１４に組み込まれている一対のレンズ部１６と、吸排気部１７と、給水ユニット２０とを有する。本体１４は、ゴム等の柔軟弾性材料で形成されており、周縁部１９が顔面２に密着可能に形成されるとともに、頭部３の後方に向かって延びる延出部２１を有する。吸排気部１７は、その前面部分にフィルタ取り付け部２２を有し、このフィルタ取り付け部２２には、防塵用や防毒用のフィルタを取り付けることができる。図示してはいないが、吸排気部１７の内側には吸気用逆止弁や排気用逆止弁が設けられている。給水ユニット２０は、面体１１を貫通して延びる管状のもので、面体１１の外側に外端部２０ａを有する一方、面体１１の内側に内端部（図示せず）を有しており、図１において矢印Ａ方向へ約９０°旋回可能である。給水ユニット２０が旋回したときには、面体１１の内部で開口している内端部から貯水袋１２の水を流出させることが可能で、その開口端部に口を当てればその水を飲むことができる。
【００１９】
貯水袋１２は、その内部に飲料水を貯えておくことができるフレキシブルな袋であって、頂縁部２５と、側縁部２６と底縁部２７とを有し、頂縁部２５と側縁部２６とにはヘッドバンド１３が取り付けられている。底縁部２７には雌型のコネクタ２８によって貯水袋１２の内部に通じる給水口（図示せず）が形成されている。
【００２０】
面体１１と貯水袋１２との間には、給水管１８が延びている。給水管１８は、フレキシブルなホースの前後両端に雄型と雌型とのうちの例えば雄型のコネクタ２３ａ，２３ｂが取り付けられたものであって、前端コネクタ２３ａが給水ユニット２０の外端部２０ａにおける雌型コネクタ（図示せず）に離脱可能に接続する一方、後端コネクタ２３ｂが貯水袋１２のコネクタ２８に離脱可能に接続している。
【００２１】
ヘッドバンド１３は、その後方部分を形成している基端部３１が貯水袋１２に固定されており、基端部３１の反対端部である前端部３２に取り付けられたバックル３３によって長さを調節することができる。バックル３３には、掛け止め用部材３４が取り付けられており、その掛け止め用部材３４が面体１１における受け止め用突起３６に取り外し可能に引っ掛けられている。なお、図示例において、頂縁部２５に取り付けられたヘッドバンド１３ａのみは長さ調節不能に作られているが（図４参照）、このヘッドバンド１３ａを長さ調節可能なものに代えることもできる。
【００２２】
図３，４は、図１の面体１１から外された貯水袋１２の平面図と、その平面図の中心線でもあるＩＶ−ＩＶ線に沿った切断面を示す図である。ただし、図４において、コネクタ２８は断面図ではなくて側面図で示されている。貯水袋１２は、ゴムシートやプラスチックシート等の耐水性シートからなる内袋４１と、図示例では外袋４２として示されている織布等からなり内袋４１の少なくとも一部分を被覆している非伸縮性のシートとで形成され、貯水袋１２の頂縁部２５、側縁部２６、底縁部２７には耐水の近傍に耐水性ファスナ４４によって開閉する注水口４６が形成されている。また、ＩＶ−ＩＶ線がシール４３と交差する部位には、雌型コネクタ２８が取り付けられている。雌型コネクタ２８は、貯水袋１２の内外を貫通するもので、開閉弁（図示せず）を内蔵しており、雄型コネクタ２３ｂが接続されると、その開閉弁が開いて、貯水袋１２は、面体１１の給水ユニット２０に対して開放状態になる。貯水袋１２に取り付けられた複数のヘッドバンド１３は、それぞれの基端部３１が貯水袋１２のシール４３の近傍において、非伸縮性の外袋４２に対して縫合等の固定手段によって取り付けられている。貯水袋１２はまた、頭部３によくフィットするように、側縁部２６どうしの間の幅が頂縁部２５に向かって次第に小さくなっている。底縁部２７は、図３においてＩＶ−ＩＶ線上に設けられている雌型コネクタ２８の両側部分が雌型コネクタ２８に向かって下り勾配となるように傾斜しており、着用した貯水袋１２の飲料水は、その全てが雌型コネクタ２８から流出可能である。
【００２３】
かように形成されているマスク１を着用するときの手順の一例は、次のとおりである。まず、給水ユニット２０を図１の状態にしておくとともに、給水管１８の前後端のコネクタ２３ａ，２３ｂのそれぞれを相手方のコネクタから外しておき、ヘッドバンド１３の長さを調節しながら面体１１を顔面に密着させ、貯水袋１２を頭部３に後方から当接させる。しかる後に、給水管１８の前端コネクタ２３ａと後端コネクタ２３ｂとを順次相手方のコネクタに接続することによって着用が完了する。着用が完了したマスク１では、給水ユニット２０を図１の矢印Ａ方向へ旋回させれば貯水袋１２の水が給水管１８を通り給水ユニット２０の内端部から流れ出すので、その内端部をくわえて水を吸い込むようにすると、水を飲むことができる。水を飲まないときには、給水ユニット２０を矢印Ａとは反対の方向へ旋回させて図１の状態に戻せばよく、そのようにすると、給水ユニット２０に付随する開閉弁（図示せず）が自動的に閉じて、貯水袋１２からの給水が止まる。このようにしてマスク１を着用する過程では、飲料水をその貯水袋１２に予め注入しておくこともできれば、着用後の貯水袋１２に注入することもできる。マスク着用者が給水ユニット２０の内端部から水を飲んだ後には、着用者の呼気をその内端部から貯水袋１２に向かって送り込むことによって、水を飲んだ後の貯水袋１２が陰圧となって、その後に水が流出しにくくなるという事態を防ぐことができる。いうまでもないことながら、給水管１８を面体１１と貯水袋１２とに接続した状態でマスク１を着用することも可能である。
【００２４】
図５，６において、図５は、実施態様の一例を示す図２と同様な図であり、図６は、図５の部分Ｂの拡大断面図である。図５におけるマスク１は、面体１１の内部と貯水袋１２の内部とをつなぐ給気管５１を有する。図６の給気管５１は、符号Ｐで示される部分が面体１１寄りに位置し、符号Ｑで示される部分が貯水袋１２寄りに位置しているもので、矢印ｄで示す面体１１から貯水袋１２に向かう方向にのみ開く逆止弁５２を備えている。逆止弁５２は、矢印ｃ方向へ流れようとする貯水袋１２からの水の圧力によって常態では閉じており、マスク着用者が水を飲んで貯水袋１２が陰圧になると、矢印ｄ方向へ動いて開き、面体１１内部の空気が矢印ｃとは反対に貯水袋１２に向かって流れ、貯水袋１２の内圧を元に戻すことができる。このようなマスク１では、マスク着用者が、陰圧になった貯水袋１２に対して呼気を送り込むという必要がない。
【００２５】
この発明においては、このような図示例の他に、貯水袋１２にそれが陰圧になることを防ぐための外気取り入れ口を設けることも可能である。ただし、その取り入れ口は、外気中の有毒物質が貯水袋１２に侵入することを防ぐことができるように、活性炭等の吸着剤を含むフィルタを取り付けておいて、それによって外気をろ過することが必要である。図示例においてはまた、貯水袋１２が、飲料水を供給するためのものとして説明されているが、貯水袋１２はその他に、例えば頭部３を冷却するためのものとして使用することもできる。この後者の使用例では、給水管１８が不要になる。貯水袋１２はまた、外袋４２に代えて、内袋４１の外面の少なくとも一部分に非伸縮性の布地等のシートを貼り、その外面を補強したり、その外面の肌触りを布様のものにしたりすることができる。非伸縮性のシートは、マスク１を着用したときに、ヘッドバンドに作用する張力が内袋４１にまで及んで内袋４１を不必要に変形させるということがないので、好ましいものではあるが、その必要がなければ、弾性的に伸縮するシートに代えることもできる。さらにはまた、図示例において基端部３１が貯水袋１２に固定されているヘッドバンド１３は、基端部３１が面体１１に固定され、基端部３１の反対端部が貯水袋１２に着脱するものに代えることができる。
【産業上の利用可能性】
【００２６】
この発明によれば、マスク着用者に対して飲料水を供給可能なマスクの製造が可能になる。
【図面の簡単な説明】
【００２７】
【図１】使用状態にあるマスクの斜視図。
【図２】図１のマスクの側面図。
【図３】貯水袋の平面図。
【図４】図３のＩＶ−ＩＶ線切断面を示す図。
【図５】実施態様の一例を示す図２と同様な図。
【図６】図５の部分拡大断面図。
【符号の説明】
【００２８】
１    マスク
２    顔面
３    頭部
１１    面体
１２    貯水袋
１３，１３ａ    ヘッドバンド
１８    給水管
２０    飲料水供給部（給水ユニット）
２７    下縁部（底縁部）
２８    給水口
３１    基端部
４２    非伸縮性シート（外袋）
４６    注水口
【図１】
0004649298.tif 000002
【図２】
0004649298.tif 000003
【図３】
0004649298.tif 000004
【図４】
0004649298.tif 000005
【図５】
0004649298.tif 000006
【図６】
0004649298.tif 000007